(57)【要約】【課題】      本発明は、立体画像が視認できる印刷物に関するものである。【解決手段】  基材上に第１の領域と第２の領域が複数配置されて濃度階調を有する可視画像が形成され、第２の領域は、第１の領域内に毛抜き合わせで配置されて潜像画像を形成し、第１の領域によって濃度階調を有する可視画像から潜像画像を構成するための第２の領域を除いた画像が形成され、第１の領域は第１の印刷インキで、第２の領域は第２の印刷インキで印刷され、第１の印刷インキと第２の印刷インキの分光反射率は可視領域内の第１の波長の範囲では近似し、可視領域内の第２の波長の範囲では異なる値であるメタメリックペアインキで印刷する。【選択図】  図３
2008073989.tif 000002
【特許請求の範囲】
【請求項１】
基材上に第１の領域と第２の領域が複数配置されて濃度階調を有する可視画像が形成され、前記第２の領域は、前記第１の領域内に毛抜き合わせで配置されて潜像画像を形成し、前記第１の領域によって前記濃度階調を有する可視画像から前記潜像画像を構成するための前記第２の領域を除いた画像が形成され、前記第１の領域は第１の印刷インキで、前記第２の領域は第２の印刷インキで印刷され、前記第１の印刷インキと前記第２の印刷インキの分光反射率は可視領域内の第１の波長の範囲では近似し、可視領域内の第２の波長の範囲では異なる値であるメタメリックペアインキで印刷され、前記濃度階調を有する可視画像は左目用画像又は右目用画像のいずれか一方として視認され、前記潜像画像は前記左目用画像又は前記右目用画像の他方として視認されることを特徴とする印刷物。
【請求項２】
基材上に第１の領域と第３の領域が交互に隣接されて複数配置され、前記第３の領域内に第２の領域が毛抜き合わせで配置されて濃度階調を有する可視画像が形成され、前記第１の領域によって濃度階調を有する画像が形成され、前記第２の領域によって潜像画像が形成され、前記第３の領域は前記潜像画像のカムフラージュ領域となり、前記第１の領域及び前記第３の領域は第１の印刷インキで、前記第２の領域は第２の印刷インキで印刷され、前記第１の印刷インキと前記第２の印刷インキの分光反射率は可視領域内の第１の波長の範囲では近似し、可視領域内の第２の波長の範囲では異なる値であるメタメリックペアインキで印刷され、前記濃度階調を有する可視画像は左目用画像又は右目用画像のいずれか一方として視認され、前記潜像画像は前記左目用画像又は前記右目用画像の他方として視認されることを特徴とする印刷物。
【請求項３】
前記濃度階調を有する可視画像は、網点面積率が４０〜８０％以下で形成され、前記潜像画像は、網点面積率が４０％以下で形成されたことを特徴とする請求項１記載の印刷物。
【請求項４】
前記濃度階調を有する可視画像は、網点面積率が４０〜８０％以下で形成され、前記潜像画像は、網点面積率が４０％以下で形成され、前記カムフラージュ領域は、網点面積率が４０％以下で形成されたことを特徴とする請求項１、２又は３記載の印刷物。
【請求項５】
前記第１の印刷インキの６４０〜７００ｎｍ間における分光反射スペクトルの積分値は、前記第２の印刷インキの６４０〜７００ｎｍ間における分光反射スペクトルの積分値の２倍以上を有し、前記第１の印刷インキの４００〜６００ｎｍ間における分光反射スペクトルの積分値は、前記第２の印刷インキの４００〜６００ｎｍ間における分光反射スペクトルの積分値と略同一であることを特徴とする請求項１、２、３又は４記載の印刷物。
【請求項６】
前記濃度階調を有する可視画像と前記潜像画像の図柄は、同一又は略同一であり、前記濃度階調を有する可視画像と前記潜像画像は、互いに水平方向に所定の距離だけずらして配置されたことを特徴とする請求項１、２、３、４又は５記載の印刷物。
【請求項７】
前記潜像画像が濃度階調を有することを特徴とする請求項１、２、３、４、５又は６記載の印刷物。
【発明の詳細な説明】
【技術分野】
【０００１】
本発明は、銀行券、パスポート、有価証券、カード、印紙類、商品タグ、有料道路等の回数券、各種チケット等の貴重品又は、絵本、パンフレット、ポスター等に適用可能な立体画像が視認できる印刷物に関するものである。
【背景技術】
【０００２】
近年のスキャナ、プリンタ、カラーコピー機等のディジタル機器の発展により、貴重印刷物の精巧な複製物を容易に作製することが可能となっている。このようなことから偽造防止対策としては、メタメリズムを応用したメタメリックペアインキを用いた印刷物が用いられている。
【０００３】
一方、立体的に視認できる印刷物として、絵本等の印刷物に補助具を用いて立体的に視認されるアナグリフ法がある。アナグリフ法では、印刷物に左目用画像と右目用画像の色を変えて印刷し、印刷された印刷物を左右の目で異なる色のフィルタ（例えば赤青メガネ）を介して観察した場合に、左目は左目用画像だけが見え、右目は右目用画像だけが見えることにより立体画像として視認されるものである。
【０００４】
例えば、立体視用印刷物の製造方法であって、立体視のための第１の左目用画像と立体視のための第１の右目用画像を作成し、視線方向に対して斜め方向となる面、かつ被写体である物体よりも上方に設定された面を基準面とした場合に、第１の左目用画像の基準面における画像の少なくとも奥行き方向へのパースペクティブをなくすための補正処理を、第１の左目用画像に対して施し、第２の左目用画像を作成し、第１の右目用画像の基準面における画像の少なくとも奥行き方向へのパースペクティブをなくすための補正処理を、第１の右目用画像に対して施して第２の右目用画像を作成し、第２の左目用画像と第２の右目用画像とに基づいて立体視用印刷物を作成することを特徴とする立体視用印刷物の製造方法が開示されている（例えば、特許文献１参照）。
【０００５】
通常、有色であるメタメリックペアインキによって印刷された印刷物は、４００〜７００ｎｍの可視全波長である波長領域Ａと、使用する所定のフィルタ等が透過する所定の波長である波長領域Ｂの二つの波長領域で観察される。
【０００６】
図１（ａ）に示す印刷物Ａ１は、基材１に可視画像４を形成し、可視画像４は、第１のインキで印刷される第１の領域２と第２のインキで印刷される第２の領域３で構成される。印刷物Ａ１は、太陽光、蛍光灯又は白熱電球等からの通常光下における肉眼で観察した場合に、図１（ｂ）に示すように、第１のインキで印刷される第１の領域２と、第２のインキで印刷される第２の領域３が等色で視認され、可視画像４のみが確認できる。印刷物Ａ１は、所定のフィルタ等を通して肉眼で観察した場合に、図１（ｃ）に示すように、第１のインキで印刷される第１の領域２と第２のインキで印刷される第２の領域３の色が異なって視認されるため、潜像画像として確認できる。印刷物Ａ１は、可視画像４に対して所定のフィルタ１０等を通して第１の領域２と第２の領域３の色の差異が生じた場合に本物と判断し、色の差異が生じない場合に偽物と判断して真偽判別が行われる。
【０００７】
例えば、太陽光、蛍光灯又は白熱電球等からの通常光下では同色に見えるが、所定の分光エネルギー分布を有する光源の下で見るか、所定のフィルタを通して見るか、又は所定のフィルタを通過させた光の下で見ると、一方が異なった色相に見えるメタリックな性質を有する二種類の色料のそれぞれによってパターンを互いに対比観察できるように基材上に形成することに特徴を有する偽造防止策を施した画像形成体が開示されている（例えば、特許文献２参照）。
【０００８】
【特許文献１】特許第３６４０２５６号公報（第1-22頁、第1-27図）
【特許文献２】特公昭６０−５８７１１号公報（第1-4頁、第1-11図）
【発明の開示】
【発明が解決しようとする課題】
【０００９】
しかしながら、アナグリフ法では、印刷物に左目用画像と右目用画像の色を変えて印刷しているため、赤青メガネを使用せずに、通常光下で肉眼で観察した場合、その印刷物自体に違和感が生じる問題があった。このため、アナグリフ法を用いた印刷物は印刷物全体のデザインを損ねる問題があった。また、偽造防止技術にアナグリフ法を用いた場合は、アナグリフ法を用いた印刷物であることが一見して判断されてしまう問題があった。
【００１０】
また、従来のメタメリックペアインキで印刷される印刷物は、色相変化や潜像画像の出現の有無を認証する場合に、一般的にベタの印刷パターンにより印刷する形態であり、また、図１に示したように潜像画像は可視画像の一部をそのまま空白化して、その空白化した部位に重ね合わせて置き換える、いわゆる単純な「抜き」と呼ばれる構成を用いて付与される場合がほとんどであった。さらに、可視画像内に埋め込まれた潜像画像が通常光下で視認される恐れがあり、デザインの自由度がなく、通常光下で視認される可視画像及び所定のフィルタ等を介して色彩の差異で視認される潜像画像は濃度階調がほとんど形成されていない、文字及びマーク等の単純なものであった。特公昭６０−５８７１１号公報については、濃度階調を有する可視画像又は濃度階調を有する潜像画像を形成することについては記載されていない。さらに、通常光下において肉眼で視認されるメタメリックペア印刷物は複数色の色彩が用いられることがないため色彩に乏しかった。また、潜像画像は立体的に視認できるものではなかった。
【００１１】
仮に、メタメリックペアインキを用いた印刷物に対して前述の「抜き」の構成を用い、通常光下において視認されるメタメリックペアインキにより印刷される可視画像４をベタ画像だけではなく、少なくとも二つの濃度階調、例えば、濃度階調が図２（ａ）のようなハイライト領域、中間調領域及びシャドー領域を有する印刷物Ａ２の場合に、所定のフィルタ１０等を通して出現する第２の領域３から成る潜像画像の視認性が図２（ｂ）のように劣るという問題があった。これは、通常光下において視認される可視画像４に階調を表現するためには、第２の領域３から成る潜像画像にも可視画像４の階調を反映させておく必要がある。このため、所定のフィルタ１０等を通して観察した場合に、第２の領域３から成る潜像画像の中に可視画像４の階調が出現してしまい、第２の領域３から成る潜像画像に薄い領域が形成されてしまい視認性が劣るものとなる。また、可視画像４自体もフィルタを通した場合に階調表現域を若干失う程度の変化しかしない場合が多く、可視画像４自体の階調が目視可能な程度に出現してしまい、第２の領域３から成る潜像画像と混ざり合ってしまうことも、可視画像４に階調を付与した場合に潜像画像の視認性が劣る原因の一つであった。
【００１２】
本発明は、このような従来の問題を解決することを目的としたもので、通常光下において肉眼により視認される印刷物自体に違和感が生じることがなく、左目用画像又は右目用画像の他方は視認されないため、アナグリフ法を用いた印刷物であることが一見して判断されることがない。アナグリフフィルタを通して観察した場合に、左目用画像及び右目用画像が合成された立体画像が視認されるため、容易に真偽判別することが可能である。また、通常光下において視認される画像に、分光反射率が６４０〜７００ｎｍ間で反射率の高い少なくとも一色のインキ（例えば、マゼンタインキ及び／又はイエローインキ）を重ね刷りすることが可能となり、複数色の色彩を付与することもできる。
【００１３】
本発明は上記記載の立体画像が視認可能なメタメリックペアインキで印刷される印刷物を提案することを目的とする。
【課題を解決するための手段】
【００１４】
本発明は、基材上に第１の領域と第２の領域が複数配置されて濃度階調を有する可視画像が形成され、第２の領域は、第１の領域内に毛抜き合わせで配置されて潜像画像を形成し、第１の領域によって濃度階調を有する可視画像から潜像画像を構成するための第２の領域を除いた画像が形成され、第１の領域は第１の印刷インキで、第２の領域は第２の印刷インキで印刷され、第１の印刷インキと第２の印刷インキの分光反射率は、可視領域内の第１の波長の範囲では近似し、可視領域内の第２の波長の範囲では異なる値であるメタメリックペアインキで印刷され、濃度階調を有する可視画像は左目用画像又は右目用画像のいずれか一方として視認され、潜像画像は左目用画像又は右目用画像の他方として視認されることを特徴とする印刷物である。
【００１５】
また、本発明は、基材上に第１の領域と第３の領域が交互に隣接されて複数配置され、第３の領域内に第２の領域が毛抜き合わせで配置されて濃度階調を有する可視画像が形成され、第１の領域によって濃度階調を有する画像が形成され、第２の領域によって潜像画像が形成され、第３の領域は潜像画像のカムフラージュ領域となり、第１の領域及び第３の領域は第１の印刷インキで、第２の領域は第２の印刷インキで印刷され、第１の印刷インキと第２の印刷インキの分光反射率は可視領域内の第１の波長の範囲では近似し、可視領域内の第２の波長の範囲では異なる値であるメタメリックペアインキで印刷され、濃度階調を有する可視画像は左目用画像又は右目用画像のいずれか一方として視認され、潜像画像は左目用画像又は右目用画像の他方として視認されることを特徴とする印刷物である。
【００１６】
また、本発明における濃度階調を有する可視画像は、網点面積率が４０〜８０％以下で形成され、潜像画像は、網点面積率が４０％以下で形成されたことを特徴とする印刷物である。
【００１７】
また、本発明における濃度階調を有する可視画像は、網点面積率が４０〜８０％以下で形成され、潜像画像は、網点面積率が４０％以下で形成され、カムフラージュ領域は、網点面積率が４０％以下で形成されたことを特徴とする印刷物である。
【００１８】
また、本発明は、第１の印刷インキの６４０〜７００ｎｍ間における分光反射スペクトルの積分値は、第２の印刷インキの６４０〜７００ｎｍ間における分光反射スペクトルの積分値の２倍以上を有し、第１の印刷インキの４００〜６００ｎｍ間における分光反射スペクトルの積分値は、第２の印刷インキの４００〜６００ｎｍ間における分光反射スペクトルの積分値と略同一であることを特徴とする印刷物である。
【００１９】
また、本発明は、濃度階調を有する可視画像と潜像画像の図柄が、同一又は略同一であり、濃度階調を有する可視画像と潜像画像は、互いに水平方向に所定の距離だけずらして配置されたことを特徴とする印刷物である。
【００２０】
また、本発明は、潜像画像が濃度階調を有することを特徴とする印刷物である。
【発明の効果】
【００２１】
本発明はデザインに制約を受けることがない立体画像が視認可能なメタメリックペアインキで印刷される印刷物が得られる。
【００２２】
可視光下において印刷物は、濃度階調を有する可視画像（左目用画像又は右目用画像のいずれか一方）が視認される。さらに、可視光下では潜像画像（左目用画像又は右目用画像の他方）は視認され難い状態又は視認されることはない。アナグリフフィルタを通して観察した場合に、左目用のフィルタからは左目用画像のみが視認され、右目用のフィルタからは右目用画像のみが視認されることで左目用画像及び右目用画像が合成された立体画像が視認される。立体画像が視認されるため容易に真偽判別することが可能である。潜像画像（左目用画像又は右目用画像の他方）は、濃度階調を有する可視画像（左目用画像又は右目用画像のいずれか一方）の濃度階調が反映されることがなく、潜像画像（左目用画像又は右目用画像の他方）とその他の領域では鮮明な濃度差を有して視認される。
【００２３】
本発明の潜像画像（左目用画像又は右目用画像のいずれか一方）は、肉眼で視認されることがないため、通常光下において肉眼により視認される印刷物自体に違和感が生じることはない。よって、アナグリフ法を用いた印刷物であることが一見して判断されることがない。
【００２４】
また、微細な網点構成や最低網点面積率と最高網点面積率を適切に設定することによって、可視光下での潜像画像の隠蔽性が向上し、アナグリフフィルタを通して観察した場合に、明瞭に立体画像が視認できる。
【００２５】
また、潜像画像以外の濃度階調を有する可視画像に分光反射率が６４０〜７００ｎｍ間で反射率の高い少なくとも一色のインキ（例えば、マゼンタインキ及び／又はイエローインキ）で印刷することもでき、複数色の色彩を付与することが可能となる。
【発明を実施するための最良の形態】
【００２６】
本発明を実施するための最良の形態について図面を参照して説明する。しかしながら、本発明は以下に述べる実施するための最良の形態に限定されるものではなく、特許請求の範囲記載における技術的思想の範囲内であれば、その他のいろいろな実施の形態が含まれる。通常、メタメリックペアインキによって、構成された画像は、４００〜７００ｎｍの可視全波長である波長領域Ａと、使用する所定のフィルタ等が透過する所定の波長領域Ｂの二つの波長領域で観察される。本発明の実施の形態における印刷物とは、２種類以上のインキを用いて基材に印刷されて作製される。
【００２７】
本発明の印刷物は、メタメリックペアインキとなる第１の印刷インキで左目用画像又は右目用画像のいずれか一方を印刷し、メタメリックペアインキとなる第２の印刷インキで左目用画像又は右目用画像の他方を印刷して作製される。
【００２８】
（実施の形態１）
図３（ａ）に印刷物Ｂ１を示す。図３（ａ）に示すように基材１上に第１の領域２と第２の領域３が複数配置されて濃度階調を有する可視画像４が形成される。第２の領域３は、第１の領域２内に毛抜き合わせで配置される。ここでいう、毛抜き合わせは、図３（ｂ）に示すように第１の領域２の非印刷領域Ｓに第２の領域３が形成される。さらに、図４に示すように第１の領域２の非印刷領域Ｓに第２の領域３が形成される位置は特に限定されるものではない。また、図５に示すように第１の領域２と第２の領域３の境界は、図５（ａ）に示すように重なることなく刷り合わさった形態、又は、図５（ｂ）に示すように第１の領域２と第２の領域３の一部が重なった領域１５を有する形態であってもよい。一部が重なった領域１５は、第１の領域２上に第２の領域３を印刷又は第２の領域３上に第１の領域２を印刷しても良い。この場合は、第１の領域２と第２の領域３の一方又は両方の重なった領域は、クラデーション等の濃度調整をすることが好ましい。
【００２９】
図６に示すように第１の領域２によって濃度階調を有する可視画像４から潜像画像５を構成するための第２の領域３を除いた画像６が形成され、第２の領域３によって潜像画像５が形成され、さらに、図３、図４、図５に示すように第１の領域２と第２の領域３の境界の第１の領域２内は、潜像画像５を隠蔽するためにカムフラージュ領域７が設けられる。
【００３０】
濃度階調を有する可視画像４は左目用画像又は右目用画像のいずれか一方となり、潜像画像５は左目用画像又は右目用画像の他方となる。濃度階調を有する可視画像４と潜像画像５の図柄は、同一又は略同一（図６では略同一）であり、濃度階調を有する可視画像４と潜像画像５は、互いに水平方向（Ｘ方向）に所定の距離だけずらして配置される。濃度階調を有する可視画像４と潜像画像５の図柄が同一の場においてアナグリフフィルタを通して観察した場合、像全体が一体の平面として基材から浮き上がって近くに見えたり、遠くに見えたり、いわゆる像全体の平面と基材の遠近感が視認でき、略同一の場合は、像の一部は近くに見え、像の他の一部は遠くに見える、像の連続的な奥行き感、いわゆる像の立体感を有して視認できる。
【００３１】
濃度階調を有する可視画像４は右目用画像、潜像画像５は左目用画像として説明する。第１の領域２から成る濃度階調を有する可視画像４から潜像画像５を構成するための第２の領域３を除いた画像６は、第１の印刷インキで、第２の領域３から成る潜像画像５は第２の印刷インキで印刷される。濃度階調を有する可視画像４である右目用画像及び潜像画像５である左目用画像はアナグリフ法で形成される。つまり、濃度階調を有する可視画像４である図柄と潜像画像５である図柄は同一又は略同一な図柄（違う角度又は配置が異なる位置で撮影された画像又は描かれたデザイン）であることが必要である。違う角度については０〜４度程度が好ましく、撮影方法はカメラを２台用意し、カメラを平行に並べて左のカメラで潜像画像５を撮影し、右目のカメラで濃度階調を有する可視画像４を撮影する。製版段階では潜像画像５と濃度階調を有する可視画像４は水平方向に両目の間隔（６５ｍｍ）以下、好ましくは４０ｍｍ以下程度ずらすことが好ましい。このずらす距離によって、立体像の基材からの浮き出し量、沈み量が決定されるが、４０ｍｍを超えて形成した場合には、視覚が不安定になりやすいことから好ましくない。なお、潜像画像５を構成するための第２の領域３を除いた画像６は右目用画像の構成要素となる。図６では、潜像画像５を構成するための第２の領域３を除いた画像６と潜像画像５はデザイン的に重なっているが、本発明はこれに限定されることなく、濃度階調を有する可視画像４と潜像画像５は重なることなく両眼の距離６５ｍｍ程度まで離しても良い。また、立体画像を見る平行法又は交差法を用いてもよい。
【００３２】
第１の印刷インキと第２の印刷インキの関係について説明する。第１の印刷インキと第２の印刷インキの分光反射率は可視領域内の第１の波長の範囲では近似し、可視領域内の第２の波長の範囲では異なる値となる。つまり、第１の印刷インキと第２の印刷インキはメタメリックペアインキの関係にある。また、第１の印刷インキの６４０〜７００ｎｍ間での分光反射スペクトルの積分値は、第２の印刷インキの６４０〜７００ｎｍ間での分光反射スペクトルの積分値の２倍以上を有し、第１の印刷インキの４００〜６００ｎｍ間での分光反射スペクトルの積分値は、第２の印刷インキの４００〜６００ｎｍ間での分光反射スペクトルの積分値と略同一であることを特徴とすることが好ましい。
【００３３】
図７は、本発明で使用するメタメリックペアインキである第１の印刷インキ及び第２の印刷インキの分光反射率曲線の一例である。図７に示すように第１の印刷インキ及び第２の印刷インキの分光反射率の関係が、６４０〜７００ｎｍ間で３０％以上の分光反射率の差が生じる設計とし、４００〜６００ｎｍで２０％以下の分光反射率の差が生じる設計で第１の印刷インキ及び第２の印刷インキを作製している。図７に示す分光反射率曲線を有する第１の印刷インキ及び第２の印刷インキは茶系の色彩のインキである。ただし、本発明においては茶系の色彩のメタメリックペアインキを用いて説明を記載しているが、通常光下での等色性に優れ、かつ特定波長域における異色性に優れたメタメリックペアインキを使用することを前提とした場合には、その色彩についての制限はない。
【００３４】
図７に示すメタメリックペアインキである第１の印刷インキ及び第２の印刷インキの関係は、６４０ｎｍ以上の分光反射率に大きな違いが生じる設計とし、波長領域Ｂは、６４０ｎｍから目視可能な最高波長である７００ｎｍの範囲としている。図７では、６６０ｎｍ以上でより顕著な分光反射率の差異が見受けられるが、６６０〜７００ｎｍの光を透過するシャープカットフィルタ等を用いる場合、通常の屋内の光源では透過する光量が不足してしまい、インキの反射又は吸収特性が如何に優れている場合でも全体画像自体が暗く沈み、ほとんど視認不可能となることから、強力な光源を必要とする場合が多い。以上のことから、６４０〜７００ｎｍを波長領域Ｂとしている。この波長領域Ｂの設定については、ユーザが希望する認証波長を取り決め、それにしたがったインキ材を選択してメタメリックペアインキを作製すればよいのであって、当然のことながら、特にこの波長領域に限定されるものでない。
【００３５】
次に、第１の領域２から成る濃度階調を有する可視画像４から潜像画像５を構成するための第２の領域３を除いた画像６の網点面積率、潜像画像５の網点面積率及び第１の領域２内の潜像画像５を隠蔽するためにカムフラージュ領域７の網点面積率の関係について説明する。
【００３６】
第１の領域２及び第２の領域３によって印刷される濃度階調を有する可視画像４は、第１の所定範囲の網点面積率で印刷され、第１の領域２によって印刷される濃度階調を有する可視画像４から潜像画像５を構成するための第２の領域３を除いた画像６は、第２の所定範囲の網点面積率で印刷され、第２の領域３によって印刷される潜像画像５は、第３の所定範囲の網点面積率で印刷され、第１の領域２内の潜像画像５を隠蔽するためにカムフラージュ領域７は、第４の所定範囲の網点面積率で印刷する必要がある。
【００３７】
第１の印刷インキ及び第２の印刷インキで印刷される第１の領域２及び第２の領域３から成る濃度階調を有する可視画像４は、第１の所定範囲の網点面積率で印刷され、第２の印刷インキの印刷される第２の領域３から成る潜像画像５は濃度階調を有する可視画像４の最小網点面積率以下で印刷する必要がある。
【００３８】
第１の領域２及び第２の領域３によって印刷される濃度階調を有する可視画像４の第１の所定範囲の網点面積率は４０〜８０％以下で印刷され、第１の領域２によって印刷される濃度階調を有する可視画像４から潜像画像５を構成するための第２の領域３を除いた画像６の第２の所定範囲の網点面積率は０〜８０％以下で印刷され、第２の領域３によって印刷される潜像画像５の第３の所定範囲の網点面積率は４０％以下で印刷され、第１の領域２内の潜像画像５を隠蔽するためにカムフラージュ領域７の第４の所定範囲の網点面積率は４０％以下で印刷することが好ましい。
【００３９】
潜像画像を隠蔽する手段としては、潜像画像５を形成する第２の印刷インキで印刷される第２の領域３の網点と、第１の印刷インキで印刷される第１の領域２内の潜像画像５を隠蔽するためのカムフラージュ領域７の網点の組み合わせの網点面積率の合計が、一定の値となるようにする。
【００４０】
波長領域Ａにおける、ある特定の反射濃度で表現された第１の印刷インキで印刷される領域及び第２の印刷インキで印刷される領域は、波長領域Ｂにおいては互いの領域で良好な濃度差を得ることが可能となる。波長領域Ｂで高い濃度差を得るための最高網点面積率を網点面積率Ａとする。これは、濃度階調を有する可視画像４の濃度が高すぎると、波長領域Ｂにおいても濃度階調を有する可視画像４が視認されてしまうことから一定の階調制限を設けることが好ましい。
【００４１】
波長領域Ａにおいては、第１の印刷インキ及び第２の印刷インキで印刷される第１の領域２及び第２の領域から成る濃度階調を有する可視画像４と、第２の印刷インキで印刷される第２の領域３から成る潜像画像５と、第１の印刷インキで印刷される第１の領域２内の潜像画像５を隠蔽するためのカムフラージュ領域７の濃度階調領域の関係について図８を用いて説明する。
【００４２】
第１の印刷インキ及び第２の印刷インキで印刷される第１の領域２及び第２の領域３から成る濃度階調を有する可視画像４（右目用画像）は、第２の領域３から成る潜像画像５（左目用画像）を表現する最高網点面積率（例えば４０％）以上、かつ、網点面積率Ａ（例えば８０％）以下で構成し、第２の印刷インキで印刷される第２の領域３から成る潜像画像５（左目用画像）の濃度階調領域は、濃度階調を有する可視画像４（右目用画像）の最低網点面積率以下、例えば０〜４０％で構成する。第１の印刷インキで印刷される第１の領域２内の潜像画像５（左目用画像）を隠蔽するためのカムフラージュ領域７の濃度階調領域は、網点面積率Ａ（例えば８０％）以下、例えば０〜４０％で構成する。カムフラージュ領域７の網点面積率については潜像画像５（左目用画像）を構成する網点と、前記網点と対となるカムフラージュ領域７の網点の組み合わせの網点面積率の合計が一定の値（例えば４０％）となるようにする。例えば、潜像画像５（左目用画像）の網点面積率が０の場合は、対となるカムフラージュ領域７の網点面積率が４０％となり、潜像画像５（左目用画像）の網点面積率が２０％の場合は、対となるカムフラージュ領域７の網点面積率が２０％となり、潜像画像５（左目用画像）の網点面積率が４０％の場合は、対となるカムフラージュ領域７の網点面積率が０％となる。
【００４３】
メタメリックペアインキを用いる場合、フィルタ等を用いて目視される潜像画像は、観察環境に存在する光のうち、波長領域Ｂの光のみを利用するものであるから、波長領域Ａでは低濃度と感じる画像であっても、波長領域Ｂにおいては、その光量自体が大きく低下するため、波長領域Ｂの光に対する反射又は吸収特性がより強く反映され、波長領域Ａで得られる濃度よりも高い濃度であると目視上感じさせることができる。すなわち、波長領域Ｂにおけるインキの反射又は吸収特性が優れている場合には、波長領域Ａではハイライト程度としか目視されない濃度であっても、フィルタを通して観察した場合に、中間からシャドーの濃度として観察者に認識させることが可能となる。
【００４４】
次に、立体画像の見え方について説明する。図９（ａ）はステレオグラムにおける平行法の見え方を示し、図９（ｂ）は交差法の見え方を示し、図９（ｃ）はアナグリフ法の見え方を示す。図９（ａ）に示すように平行法は、右目の視線と左目の視線を平行に保って、遠くを見る感じでぼんやりと観察すると２枚の画像が３枚に視認され、真ん中の１枚に焦点を合わせると立体画像として視認できるものである。図９（ｂ）に示すように交差法は、右目の視線と左目の視線を交差して観察することで、２枚の画像が３枚に視認され、真ん中の１枚に焦点を合わせると立体画像として視認できるものである。図９（ｃ）に示すようにアナグリフ法は、赤青等のメガネで観察すると立体画像として視認できるものである。
【００４５】
印刷物Ｂ１は特定波長Ａである太陽光、蛍光灯又は白熱電球等からの通常光下では、図１０（ａ）に示すように右目用画像の濃度階調を有する可視画像４が確認され、左目用画像の潜像画像５は確認することができない。潜像画像５は濃度階調を有する可視画像４以下の反射濃度によって、可視画像の中に目視不可能な程度に微細な構造で違和感なく配置されることにより、濃度階調を有する可視画像４の中に完全に隠蔽される。
【００４６】
印刷物Ｂ１は左目に波長領域Ｂを透過し、右目に波長領域Ｃを透過するアナグリフフィルタ１６を通して観察した場合に、図１０（ｂ）に示すように左目用のフィルタ１６ａからは潜像画像５（左目用画像）のみが視認され、右目用のフィルタ１６ｂからは濃度階調を有する可視画像４（右目用画像）が視認されることで濃度階調を有する可視画像４（右目用画像）及び潜像画像（左目用画像）５が合成された立体画像が確認される。なお、波長領域Ｃは４００〜５００ｎｍでの透過特性を有し、ピークの透過率が約５０％程度であることを有する。右目用のフィルタ１６ｂがなくても、つまり、左目用のフィルタ１６ａのみで観察することも場合によっては可能である。
【００４７】
左目用のフィルタ１６ａからは潜像画像５を構成するための第２の領域３を除いた画像６はあたかも消出したようになり、潜像画像５（左目用画像）のみが視認されているように見える。潜像画像５は、濃度階調を有する可視画像４以下の反射濃度で構成されながらも、波長領域Ｂにおいて潜像画像５を構成するための第２の領域３を除いた第１のインキで印刷される画像６が、一定濃度に収束されるため、潜像画像５と潜像画像５を構成するための第２の領域３を除いた画像６の濃度差が高くなることで、視認性の高い潜像画像として発現させることを可能とする。濃度階調を有する可視画像４と潜像画像５はデザイン的に重なっているが、左目用のフィルタ１６ａを介して観察した場合に、潜像画像５に潜像画像５を構成するための第２の領域３を除いた画像６の濃度階調がほとんど反映されず、潜像画像５と潜像画像５を構成するための第２の領域３を除いた画像６に鮮明な濃度差を有して視認される。右目用のフィルタ１６ｂからは潜像画像５（左目用画像）が視認されることなく、特定波長Ａである太陽光、蛍光灯又は白熱電球等からの通常光下と同様な濃度階調を有する可視画像４のみが確認される。よって、濃度階調を有する可視画像４である右目用画像及び潜像画像５である左目用画像はアナグリフ法で形成されているため、濃度階調を有する可視画像４（右目用画像）及び潜像画像５（左目用画像）が合成された立体画像が確認される。
【００４８】
印刷物Ｂ１に用いる第１の印刷インキにより印刷される第１の領域２から成る濃度階調を有する可視画像４（右目用画像）から、潜像画像５（左目用画像）を構成するための第２の領域３を除いた画像６の第１の版面１３と、第２の印刷インキで印刷される第２の領域３から成る潜像画像５（左目用画像）の第２の版面１４を作製するための容易な手順としては、図１１（ａ）に示す第１の領域２内の潜像画像５を隠蔽するためのカムフラージュ領域７と、図１１（ｂ）に示す潜像画像５を形成し、カムフラージュ領域７と、潜像画像５を合成した図１１（ｃ）に示す濃度が一定な画像１１を形成する。この場合の濃度は、濃度階調を有する可視画像４の最低網点面積率以下まで引き下げる。次に、図１１（ｄ）に示す濃度階調を有する画像１２に対して、図１１（ｃ）に示した潜像画像５とカムフラージュ領域７のうち、カムフラージュ領域７のみを抽出し、濃度階調を有する画像１２に加算して、網点面積率Ａまで引き下げ、図１１（ｅ）に示す第１の領域２を形成する第１の版面１３を作製する。第２の版面１４は図１１（ｃ）に示した潜像画像５とカムフラージュ領域７のうち、潜像画像５のみを抽出して第２の版面１４を作製する。ただし、本発明はこの手順にのみ限定されるものではないことはいうまでもない。
【００４９】
（実施の形態２）
図１２（ａ）に印刷物Ｂ２を示す。印刷物Ｂ２の濃度階調を有する可視画像４の構成は、印刷物Ｂ１とは異なり、図１２（ｂ）に示す配置構成となる。この配置構成は、特許第３５４４５３６号公報の構成と同様である。ｍ×ｍピクセルの第１のハーフトーン領域に濃度階調を有する画像を形成し、ｎ×ｎピクセルの第２のハーフトーン領域に潜像画像と潜像画像を隠蔽するカムフラージュ領域が形成される。この特殊な網点構成は、ポストスクリプト網点生成法の中で、二種類の網点データを直接定義する技術と、特開２００１-２０５９１７号公報で提案した二種類の網点画像を同一平面上に均等配置する画像処理法により生成される。
【００５０】
図１２（ａ）に示すように、基材１上に第１の領域２と第３の領域３ａが交互に隣接されて複数配置され、第３の領域３ａ内に第２の領域３ｂが毛抜き合わせで配置されて濃度階調を有する可視画像４が形成される。ここでいう毛抜き合わせは、図１２（ｂ）に示すように第３の領域３ａの非印刷領域Ｓに第２の領域３ｂが形成される。さらに、図１３に示すように第３の領域３ａの非印刷領域Ｓに第２の領域３ｂが形成される位置は特に限定されるものではない。また、図１３に示すように第３の領域３ａと第２の領域３ｂの境界は、図１４（ａ）に示すように重なることなく刷り合わさった形態、又は、図１４（ｂ）に示すように第３の領域３ａと第２の領域３ｂの一部が重なった領域１５を有する形態であってもよい。一部が重なった領域１５は、第３の領域３ａ上に第２の領域３ｂを印刷、又は第２の領域３ｂ上に第３の領域３ａを印刷しても良い。この場合は、第３の領域３ａと第２の領域３ｂの一方又は両方の重なった領域は、クラデーション等の濃度調整をすることが好ましい。また、ここでいう第１の領域２と第３の領域３ａが交互に隣接するとは、領域自体は隣り合って接しているが、第１の領域２に濃度階調を有する画像が形成されるため、大小の網点が生じ、第１の領域２と第３の領域３ａの網点同士は接していない領域は当然生じるものである。
【００５１】
次に、第１の領域２と第３の領域３ａの領域の大きさについて説明する。図１２では一つの第１の領域２と、第１の領域２に隣接する一つの第３の領域３ａとが複数組配置され、第３の領域３ａの周囲が、複数の第１の領域２により囲まれ、第１の領域２は、第３の領域３ａより面積が大きく、さらに、第３の領域３ａ内には第２の領域３ｂが毛抜き合わせで形成されている。本発明はこれに限定されることなく、図１５（ａ）に示すように一つの第１の領域２と、第１の領域２に隣接する一つの第３の領域３ａとが複数組配置され、第１の領域２の周囲が複数の第３の領域３ａにより囲まれ、第３の領域３ａは、第１の領域２より面積が大きく、さらに、第３の領域３ａ内には第２の領域３ｂが毛抜き合わせで形成してもよい。また、図１５（ｂ）に示すように一つの第１の領域２と、第１の領域２に隣接する一つの第３の領域３ａとが複数組配置され、第１の領域２の周囲が複数の第３の領域３ａにより囲まれ、第３の領域３ａの周囲が複数の第１の領域２により囲まれ、第１の領域２は、第３の領域３ａと面積が同一で、さらに、第３の領域３ａ内には第２の領域３ｂが毛抜き合わせで形成してもよい。
【００５２】
図１６に示すように第１の領域２によって濃度階調を有する画像６’が形成され、第２の領域３ｂによって潜像画像５が形成され、第３の領域３ａは潜像画像５のカムフラージュ領域７となる。第１の領域２、第２の領域３ｂ及び第３の領域３ａによって、濃度階調を有する可視画像４が形成される。
【００５３】
濃度階調を有する可視画像４は、左目用画像又は右目用画像のいずれか一方となり、潜像画像５は、左目用画像又は右目用画像の他方となる。濃度階調を有する可視画像４と潜像画像５の図柄は、同一又は略同一（図１６では略同一）であり、濃度階調を有する可視画像４と潜像画像５は、互いに水平方向（Ｘ方向）に所定の距離だけずらして配置される。濃度階調を有する可視画像４と潜像画像５の図柄が同一の場合には、アナグリフフィルタを通して観察すると、像全体が一体の平面として基材から浮き上がって近くに見えたり、遠くに見えたり、いわゆる像平面全体と基材の遠近感が視認でき、略同一の場合は、像の一部は近くに見え、像の他の一部は遠くに見える、像の連続的な奥行き感、いわゆる像の立体感を有して視認できる。
【００５４】
濃度階調を有する可視画像４は右目用画像、潜像画像５は左目用画像として説明する。第１の領域２から成る濃度階調を有する画像６’及び第３の領域３ａから成るカムフラージュ領域７は第１の印刷インキで、第２の領域３ｂから成る潜像画像５は第２の印刷インキで印刷される。濃度階調を有する可視画像４となる右目用画像及び潜像画像５となる左目用画像はアナグリフ法で形成される。つまり、濃度階調を有する可視画像４である図柄と潜像画像５である図柄は同一又は略同一な図柄（違う角度又は配置が異なる位置で撮影された画像又は描かれたデザイン）であることが必要である。違う角度については０〜４度程度が好ましく、撮影方法はカメラを２台用意し、カメラを平行に並べて左のカメラで潜像画像５を撮影し、右目のカメラで濃度階調を有する可視画像４を撮影する。製版段階では潜像画像５と濃度階調を有する可視画像４は水平方向に両目の間隔（６５ｍｍ）以下、好ましくは４０ｍｍ以下程度ずらすことが好ましい。このずらす距離によって、立体像の基材からの浮き出し量及び沈み量が決定されるが、４０ｍｍを超えて形成した場合には、視覚が不安定になりやすいことから好ましくない。第１の領域２及び第３の領域３ａは右目用画像の構成要素となる。図１６では第１の領域２から成る濃度階調を有する画像６’と潜像画像５はデザイン的に重なっているが、本発明はこれに限定されることなく、濃度階調を有する可視画像４と潜像画像５は重なることなく両眼の距離６５ｍｍ程度まで離しても良い。また、立体画像を見る平行法又は交差法を用いてもよい。
【００５５】
次に、第１の印刷インキ及び第２の印刷インキで印刷される第１の領域２、第２の領域３ｂ及び第３の領域３ａから成る濃度階調を有する可視画像４と、第１の印刷インキで印刷される第３の領域３ａから成るカムフラージュ領域７と、第２の印刷インキで印刷される第２の領域３ｂから成る潜像画像５の網点面積率について説明する。
【００５６】
第１の領域２、第２の領域３ｂ及び第３の領域３ａによって印刷される濃度階調を有する可視画像４は、第１の所定範囲の網点面積率で印刷され、第１の領域２によって印刷される濃度階調を有する画像６’は、第２の所定範囲の網点面積率で印刷され、第３の領域３ａによって印刷されるカムフラージュ領域７は、第３の所定範囲の網点面積率で印刷され、第２の領域３ｂによって印刷される潜像画像５は、第４の所定範囲の網点面積率で印刷する必要がある。
【００５７】
第１の印刷インキ及び第２の印刷インキで印刷される第１の領域２、第２の領域３ｂ及び第３の領域３ａからなる濃度階調を有する可視画像４は、所定範囲の網点面積率で印刷され、第２の印刷インキの印刷される第２の領域３ｂから成る潜像画像５は濃度階調を有する可視画像４の最小網点面積率以下で印刷する必要がある。
【００５８】
第１の領域２、第２の領域３ｂ及び第３の領域３ａによって印刷される濃度階調を有する可視画像４の第１の所定範囲の網点面積率は、４０〜８０％以下で印刷され、第１の領域２によって印刷される濃度階調を有する画像６’の第２の所定範囲の網点面積率は、０〜８０％以下で印刷され、第３の領域３ａによって印刷されるカムフラージュ領域７の第３の所定範囲の網点面積率は、４０％以下で印刷され、第２の領域３ｂによって印刷される潜像画像５の第４の所定範囲の網点面積率は、４０％以下で印刷することが好ましい。
【００５９】
潜像画像を隠蔽する手段としては、潜像画像５を形成する第２の印刷インキで印刷される第２の領域３ｂの網点と、前述の網点と対となるカムフラージュ領域７を形成する第１の印刷インキで印刷される第３の領域３ａの網点の組み合わせの網点面積率の合計が一定の値となるようにする。
【００６０】
波長領域Ａにおける、ある特定の反射濃度で表現された第１の印刷インキで印刷される領域及び第２の印刷インキで印刷される領域は、波長領域Ｂにおいては互いの領域で良好な濃度差を得ることが可能となる。波長領域Ｂで高い濃度差を得るための最高網点面積率を網点面積率Ａとする。これは、濃度階調を有する可視画像４の濃度が高すぎると、波長領域Ｂにおいても濃度階調を有する可視画像４が視認されてしまうことから一定の階調制限を設けることが好ましい。波長領域Ａにおいて、第１の印刷インキ及び第２の印刷インキで印刷される第１の領域２、第２の領域３ｂ及び第３の領域３ａから成る濃度階調を有する可視画像４と、第１の印刷インキで印刷される第３の領域３ａから成るカムフラージュ領域７と、第２の印刷インキで印刷される第２の領域３ｂから成る潜像画像５の濃度階調領域の関係について図１７を用いて説明する。
【００６１】
第１の印刷インキ及び第２の印刷インキで印刷される第１の領域２、第２の領域３ｂ及び第３の領域３ａから成る濃度階調を有する可視画像４（右目用画像）は、第２の領域３ｂから成る潜像画像５（左目用画像）を表現する最高網点面積率（例えば４０％）以上、かつ、網点面積率Ａ（例えば８０％）以下で構成し、第２の印刷インキで印刷される第２の領域３ｂから成る潜像画像５（左目用画像）の濃度階調領域は、濃度階調を有する可視画像４（右目用画像）の最低網点面積率以下、例えば０〜４０％で構成する。第１の印刷インキで印刷される第３の領域３ａから成るカムフラージュ領域７は、網点面積率Ａ（例えば８０％）以下、例えば０〜４０％で構成する。第１の印刷インキで印刷される第１の領域２から成る濃度階調を有する画像６’の濃度階調領域は網点面積率Ａ（例えば８０％）以下で構成する。カムフラージュ領域７の網点面積率については、潜像画像５（左目用画像）を構成する網点と、前述の網点と対となるカムフラージュ領域７の網点の組み合わせの網点面積率の合計が一定の値（例えば４０％）となるようにする。例えば、潜像画像５（左目用画像）の網点面積率が０％の場合は、対となるカムフラージュ領域７の網点面積率が４０％となり、潜像画像５（左目用画像）の網点面積率が２０％の場合は、対となるカムフラージュ領域７の網点面積率が２０％となり、潜像画像５（左目用画像）の網点面積率が４０％の場合は、対となるカムフラージュ領域７の網点面積率が０％となる。
【００６２】
印刷物Ｂ２は特定波長Ａである太陽光、蛍光灯又は白熱電球等からの通常光下では図１８（ａ）に示すように右目用画像の濃度階調を有する可視画像４が確認され、左目用画像の潜像画像５は確認することができない。潜像画像５は濃度階調を有する可視画像４以下の反射濃度によって可視画像の中に目視不可能な程度に微細な構造で違和感なく配置されることにより、濃度階調を有する可視画像４の中に完全に隠蔽される。
【００６３】
印刷物Ｂ２は左目に波長領域Ｂを透過し、右目に波長領域Ｃを透過するアナグリフフィルタ１６を通して観察した場合に、図１８（ｂ）に示すように左目用のフィルタ１６ａからは潜像画像５（左目用画像）のみが視認され、右目用のフィルタ１６ｂからは濃度階調を有する可視画像４（右目用画像）が視認されることで濃度階調を有する可視画像４（右目用画像）及び潜像画像５（左目用画像）が合成された立体画像が確認される。なお、波長領域Ｃは４００〜５００ｎｍでの透過特性を有し、ピークの透過率が約５０％程度であることを有する。右目用のフィルタ１６ｂがなくても、つまり、左目用のフィルタ１６ａのみで観察することも場合によっては可能である。
【００６４】
左目用のフィルタ１６ａからは、潜像画像５を構成するための第２の領域３を除いた画像６はあたかも消出したようになり、潜像画像５（左目用画像）のみが視認されているように見える。潜像画像５は、潜像画像５を構成するための第２の領域３ｂを除いた領域以下の反射濃度で構成されながらも、波長領域Ｂにおいて潜像画像５を構成するための第２の領域３ｂを除いた第１のインキで印刷される領域が、一定濃度に収束されるため、潜像画像５と潜像画像５を構成するための第２の領域３ｂを除いた領域の濃度差が高くなることで、視認性の高い潜像画像として発現させることが可能となる。濃度階調を有する可視画像４と潜像画像５はデザイン的に重なっているが、左目用のフィルタ１６ａを介して観察した場合に、潜像画像５に潜像画像５を構成するための第２の領域３ｂを除いた領域の濃度階調がほとんど反映されず、潜像画像５と潜像画像５を構成するための第２の領域３ｂを除いた領域に鮮明な濃度差を有して視認される。右目用のフィルタ１６ｂからは潜像画像５（左目用画像）が視認されることなく、特定波長Ａである太陽光、蛍光灯又は白熱電球等からの通常光下と同様な濃度階調を有する可視画像４のみが確認される。よって、濃度階調を有する可視画像４となる右目用画像及び潜像画像５となる左目用画像はアナグリフ法で形成されているため、濃度階調を有する可視画像４（右目用画像）及び潜像画像５（左目用画像）が合成された立体画像が確認される。
【００６５】
印刷物Ｂ２に用いる第１の印刷インキにより印刷される第１の領域２から成る濃度階調を有する画像６’と、第１の印刷インキの印刷される第３の領域３ａから成るカムフラージュ領域７の第１の版面１３と、第２の印刷インキで印刷される第２の領域３ｂから成る潜像画像５（左目用画像）の第２の版面１４を作製するための容易な手順としては、図１９（ａ）に示すカムフラージュ領域７と、図１９（ｂ）に示す潜像画像５（左目用画像）を形成し、カムフラージュ領域７と、潜像画像５（左目用画像）を合成した図１９（ｃ）に示す濃度が一定な画像１１を形成する。この場合の濃度は、濃度階調を有する可視画像４の最低網点面積率以下まで引き下げる。次に、図１９（ｄ）に示す濃度階調を有する画像６’に対して図１９（ｃ）に示した潜像画像５（左目用画像）とカムフラージュ領域７のうち、カムフラージュ領域７のみを抽出し、濃度階調を有する画像６’に加算して、網点面積率Ａまで引き下げ、図１９（ｅ）に示す濃度階調を有する画像６’及びカムフラージュ領域７の画像から第１の版面１３を作製する。第２の版面１４は図１９（ｃ）に示した潜像画像５（左目用画像）とカムフラージュ領域７のうち、潜像画像５のみを抽出して第２の版面１４を作製する。ただし、本発明はこの手順にのみ限定されるものではないことは言うまでもない。
【００６６】
本発明の印刷物において、濃度階調を有する可視画像４上に分光反射率が６４０〜７００ｎｍ間で反射率の高い少なくとも一色のインキ（例えば、マゼンタインキ及び／又はイエローインキ）で模様を刷り重ねて、複数色の色彩を付与することが可能となる。反射率の高い少なくとも一色のインキは、潜像画像以外の濃度階調を有する可視画像４に印刷することができる。当然、立体画像を形成する領域以外に印刷してもよい。所定のフィルタ（例えば、ＦＵＪＩ  ＦＩＬＭ製  ＳＣ６４）の波長以上のインキ（例えば、マゼンタインキ及び／又はイエローインキ）で濃度階調を有する可視画像４に重ね刷りした場合、その印刷物にフィルタ（潜像画像を視認するフィルタ、例えば左目用のフィルタ）を重ねて観察しても重ね刷りしたインキは視認することができない。
【００６７】
（実施の形態３）
実施の形態１、２は少なくとも一組のメタメリックペアインキを用いて濃度階調を有する可視画像４を形成し、濃度階調を有する可視画像４と潜像画像５の二つの画像で立体画像を構成する例を記したが、メタメリックペアインキを用いて濃度階調を有する潜像画像と潜像画像を隠蔽するカムフラージュ領域７を一定濃度で形成し、濃度階調を有する可視画像４から潜像画像５及びカムフラージュ領域７を除いた画像６”又は濃度階調を有する画像６’を６４０〜７００ｎｍでの反射率の高いインキで形成することで、実施の形態１及び２と同様な効果が得られる。
【００６８】
網点形状は、円形ドットに限定されるものではなく、ランダムドットや本出願人が先に出願した特開平11-268228号公報で提案している特殊網点生成法を用いて意匠性を加味した入力画像を網点(ハーフトーンスクリーン)から成る連続階調網点に変換した自由度のある特殊網点形状を用いても良い。
【００６９】
実施の形態１に示した第１の領域２及び第２の領域３は、６０〜７００ｌｉｎｅ／ｉｎｃｈで印刷されることが好ましい。実施の形態２の第１の領域２、第２の領域３ｂ及び第３の領域３ａは、６０〜７００ｌｉｎｅ／ｉｎｃｈで印刷されることが好ましい。
【００７０】
実施の形態１に示した潜像画像５及び濃度階調を有する可視画像４から潜像画像５を構成するための第２の領域３を除いた画像６は、階調表現域が網点面積率の差で２５％以上に達していることが望ましい。実施の形態２に示した潜像画像５及び濃度階調を有する画像６’は、階調表現域が網点面積率の差で２５％以上に達していることが好ましい。
【００７１】
また、本発明の印刷物に用いる基材は、特に限定されることがなく、上質紙、コート紙、アート紙等の紙葉類又はフィルム等を用いることができる。
【００７２】
本発明の印刷物の印刷方式は、オフセット印刷方式、グラビア印刷方式、スクリーン印刷方式、フレキソ印刷方式、インクジェットプリンタ又はレーザプリンタ等、特に限定されるものではないが、刷り合わせ精度が要求される場合が多いため、特にオフセット印刷方式が好ましい。実際に印刷物を作製する場合、ほとんどの印刷方式において、印刷物と版面間ではドットゲインによる網点面積率の上昇が見込まれることから、版面作製に当たっては、あらかじめそれを見込んだ網点面積率にする必要があることはいうまでもない。
【００７３】
なお、印刷物で印刷される濃度階調を有する可視画像、潜像画像及び重ね刷り模様のデザインは特に限定されることなく、文字、数字、記号、図柄及び絵柄等を用いることができる。
【実施例】
【００７４】
以下、実施例を用いて本発明を更に詳細に説明するが、本発明の内容は、これらの実施例の範囲に限定されるものではない。
【００７５】
（実施例１）
発明を実施するに当たっては、図７に示した第１の印刷インキ及び第２の印刷インキの特性に応じて、まず網点面積率Ａ、潜像画像５とカムフラージュ領域７の合成濃度の決定を行った。はじめに使用する第１の印刷インキ及び第２の印刷インキのグラデーションスケールをそれぞれ印刷し、図２０のとおり波長領域Ａにおける両インキの反射濃度特性を確認した。波長領域Ａにおいて、第１の印刷インキ及び第２の印刷インキの網点面積率と反射濃度がほぼ比例関係にあることが重要であり、比例関係にあることが確認できた。次に、波長領域Ｂにおいて、第１の印刷インキ及び第２の印刷インキの濃度差は、シャープカットフィルタを通して目視による判定を行った。また、第１の印刷インキ及び第２の印刷インキのそれぞれの網点面積率における分光スペクトルの波長領域Ｂにおける積分値で算出することも可能である。
【００７６】
左目用画像となる潜像画像５は、網点面積率が０〜４０％以下の範囲で第２の印刷インキで印刷した場合は、波長領域Ｂにおいて十分な階調を有していることが確認できた。第１の印刷インキで印刷されるカムフラージュ領域７は網点面積率が０〜４０％以下の範囲で形成し、潜像画像５を構成する網点と、前述の網点と対となるカムフラージュ領域７の網点の組み合わせの網点面積率の合計が一定の値（４０％）となるようにした。第１の印刷インキで印刷する網点面積率は波長領域Ｂにおいて、８０％以下の連続階調が一定の階調に収まっている範囲であることが確認できたため、第１の印刷インキで印刷される領域は、網点面積率が８０％以下の範囲で形成した。よって、第１の印刷インキ及び第２のインキで印刷した右目用画像となる濃度階調を有する可視画像４は網点面積率が４０〜８０％以下の範囲で形成した。
【００７７】
濃度階調を有する可視画像４と潜像画像５は撮影位置をずらして撮影し、撮影方法はカメラを２台用意し、カメラを平行に並べて左目用のカメラで潜像画像５を撮影し、右目用のカメラで濃度階調を有する可視画像４を撮影した。製版段階では濃度階調を有する可視画像４と潜像画像５は水平方向（Ｘ方向）に１０ｍｍずらして形成した。濃度階調を有する可視画像４と潜像画像５はデザイン的に重なっている。
【００７８】
図７に示した
第１の印刷インキ及び第２の印刷インキを用いて、濃度階調を有する可視画像４から潜像画像５を構成するための第２の領域３を除いた画像６は、第１の印刷インキで印刷し、潜像画像５は第２の印刷インキでオフセット校正印刷機で印刷物Ｃ１を作製した。
【００７９】
印刷物Ｃ１は、図２１に示すように基材１上に第１の領域２と第２の領域３が交互に隣接されて複数配置され、第２の領域３内に第３の領域３ａが毛抜き合わせで配置されて右目用画像となる濃度階調を有する可視画像４が形成した。右目用画像となる濃度階調を有する可視画像４の網点面積率は、４０〜８０％以下の範囲で形成した。第１の領域２によって右目用画像となる濃度階調を有する可視画像４から潜像画像５を構成するための第２の領域３を除いた画像６が形成され、第２の領域３によって左目用画像となる潜像画像５が形成し、第１の領域２と第２の領域３の境界の第１の領域２内は、左目用画像となる潜像画像５を隠蔽するためにカムフラージュ領域７を形成した。潜像画像５の網点面積率は、０〜４０％以下の範囲で形成し、カムフラージュ領域７の網点面積率は、０〜４０％以下の範囲で形成し、カムフラージュ領域７と潜像画像５の合成領域の網点面積率は、４０％となるように調整し、印刷物Ｃ１を得た。
【００８０】
印刷物Ｃ１は特定波長Ａである太陽光、蛍光灯又は白熱電球等からの通常光下では図２２（ａ）に示すように右目用画像の濃度階調を有する可視画像４が確認され、左目用画像の潜像画像５は確認することができなかった。
【００８１】
図２２（ｂ）に示すように印刷物Ｃ１は左目に波長領域Ｂを透過し、右目に波長領域Ｃを透過するアナグリフフィルタ１６を通して観察した場合に、左目用のフィルタ１６ａ（ＦＵＪＩ  ＦＩＬＭ製  ＳＣ６４）からは潜像画像５（左目用画像）のみが視認され、右目用のフィルタ１６ｂ（４００〜５００ｎｍでの透過特性を有し、ピークの透過率が約５０％のフィルタ）からは濃度階調を有する可視画像４（右目用画像）が視認されることで濃度階調を有する可視画像４（右目用画像）及び潜像画像５（左目用画像）が合成された立体画像が確認された。
【００８２】
（実施例２）
図７に示した第１の印刷インキ及び第２の印刷インキを用いて、実施例１の印刷物Ｃ１とは異なる網点構成で実施例２の印刷物Ｃ２を作製した。濃度階調を有する画像６’及びカムフラージュ領域７は、第１の印刷インキで印刷し、潜像画像５は第２の印刷インキでオフセット校正印刷機で印刷物Ｃ２を作製した。
【００８３】
印刷物Ｃ２は、図２３に示すように、基材１上に第１の領域２と第３の領域３ａが交互に隣接されて複数配置され、第３の領域３ａ内に第２の領域３ｂが毛抜き合わせで配置されて右目用画像となる濃度階調を有する可視画像４が形成されている。右目用画像となる濃度階調を有する可視画像４の網点面積率は、４０〜８０％以下の範囲で形成されている。第１の領域２によって濃度階調を有する画像６’が形成し、第２の領域３ｂによって左目用画像となる潜像画像５が形成し、第３の領域３ａによってカムフラージュ領域７を形成した。潜像画像５の網点面積率は、０〜４０％以下の範囲で形成し、カムフラージュ領域７の網点面積率は、０〜４０％以下の範囲で形成し、カムフラージュ領域７と潜像画像５の合成領域の網点面積率は、４０％となるように調整し、印刷物Ｃ２を得た。
【００８４】
印刷物Ｃ２は特定波長Ａである太陽光・蛍光灯・白熱電球等からの通常光下では図２４（ａ）に示すように右目用画像の濃度階調を有する可視画像４が確認され、左目用画像の潜像画像５は確認することができなかった。
【００８５】
図２４（ｂ）に示すように印刷物Ｃ２は左目に波長領域Ｂを透過し、右目に波長領域Ｃを透過するアナグリフフィルタ１６を通して観察した場合に、左目用のフィルタ１６ａ（ＦＵＪＩ  ＦＩＬＭ製  ＳＣ６４）からは潜像画像５（左目用画像）のみが視認され、右目用のフィルタ１６ｂ（４００〜５００ｎｍでの透過特性を有し、ピークの透過率が約５０％のフィルタ）からは濃度階調を有する可視画像４（右目用画像）が視認されることで濃度階調を有する可視画像４（右目用画像）及び潜像画像５（左目用画像）が合成された立体画像が確認された。
【図面の簡単な説明】
【００８６】
【図１】従来のメタメリックペア印刷物を示す図である。
【図２】従来のメタメリックペア印刷物の問題点を示す図である。
【図３】本発明の印刷物Ｂ１である。
【図４】毛抜き合わせの位置関係を示す図である。
【図５】第１の領域２と第２の領域３の境界を示す図である。
【図６】本発明の印刷物Ｂ１の説明図である。
【図７】本発明で使用するメタメリックペアインキである第１の印刷インキ及び第２の印刷インキの分光反射率曲線の一例を示す図である。
【図８】第１の印刷インキ及び第２の印刷インキで印刷される第１の領域２及び第２の領域３から成る濃度階調を有する可視画像４と、第２の印刷インキで印刷される第２の領域３から成る潜像画像５と、第１の印刷インキで印刷される第１の領域２内の潜像画像５を隠蔽するためにカムフラージュ領域７の濃度階調領域の関係についての説明図である。
【図９】立体画像の見え方についての説明図である。
【図１０】本発明の印刷物Ｂ１の作用についての説明図である。
【図１１】第１の版面と、第２の版面を作製するための方法を示す説明図である。
【図１２】本発明の印刷物Ｂ２である。
【図１３】毛抜き合わせの位置関係を示す図である。
【図１４】第２の領域３ｂと第３の領域３ａの境界を示す図である。
【図１５】第１の領域２、第２の領域３及び第３の領域３ａの関係を示す図である。
【図１６】本発明の印刷物Ｂ２の説明図である。
【図１７】第１の印刷インキ及び第２の印刷インキで印刷される第１の領域２、第２の領域３ｂ及び第３の領域３ａから成る濃度階調を有する可視画像４と、第１の印刷インキで印刷される第３の領域３ａから成るカムフラージュ領域７と、第２の印刷インキで印刷される第２の領域３ｂから成る潜像画像５の濃度階調領域の関係についての説明図である。
【図１８】本発明の印刷物Ｂ２の作用についての説明図である。
【図１９】第１の版面１３と、第２の版面１４を作製するための方法を示す説明図である。
【図２０】第１の印刷インキ及び第２の印刷インキのグラデーションスケールをそれぞれ印刷し、波長領域Ａにおける反射濃度特性を示す図である。
【図２１】実施例１の印刷物Ｃ１の説明図である。
【図２２】実施例１の印刷物Ｃ１の作用を示す図である。
【図２３】実施例２の印刷物Ｃ２の説明図である。
【図２４】実施例２の印刷物Ｃ２の作用を示す図である。
【符号の説明】
【００８７】
１        基材
２        第１の領域
３、３ｂ  第２の領域
３ａ      第３の領域
４        濃度階調を有する可視画像
５        潜像画像
６        濃度階調を有する可視画像４から潜像画像５を構成するための第２の領              域を除いた画像
６’      濃度階調を有する画像
７        カムフラージュ領域
１０      フィルタ
１１      濃度が一定な画像
１２      濃度階調を有する画像
１３      第１の版面
１４      第２の版面
Ａ１、Ａ２、Ｂ１、Ｂ２、Ｃ１、Ｃ２          印刷物
１５      重なった領域
１６      アナグリフフィルタ
１６ａ    左目用のフィルタ
１６ｂ    右目用のフィルタ
Ｓ        非印刷領域
【図１】
2008073989.tif 000003
【図２】
2008073989.tif 000004
【図３】
2008073989.tif 000005
【図４】
2008073989.tif 000006
【図５】
2008073989.tif 000007
【図６】
2008073989.tif 000008
【図７】
2008073989.tif 000009
【図８】
2008073989.tif 000010
【図９】
2008073989.tif 000011
【図１０】
2008073989.tif 000012
【図１１】
2008073989.tif 000013
【図１２】
2008073989.tif 000014
【図１３】
2008073989.tif 000015
【図１４】
2008073989.tif 000016
【図１５】
2008073989.tif 000017
【図１６】
2008073989.tif 000018
【図１７】
2008073989.tif 000019
【図１８】
2008073989.tif 000020
【図１９】
2008073989.tif 000021
【図２０】
2008073989.tif 000022
【図２１】
2008073989.tif 000023
【図２２】
2008073989.tif 000024
【図２３】
2008073989.tif 000025
【図２４】
2008073989.tif 000026